(57)【特許請求の範囲】
【請求項１】
便座を有する便器本体と、
前記便器本体近傍に一端を有する排気通路と、
前記便器本体の肉厚内に形成され、一端が前記排気通路と一端同士で連通し、他端が前記便器本体の外側の側面に開口し、前記外側の側面が、垂直よりも床側に傾斜し、前記床側に傾斜した前記側面に設けられた開口が、下方向に向けて形成されている空気通路と、
前記排気通路に又は当該排気通路と空気通路との間に設置される換気扇と、
を有する腰掛け式便器。
【請求項２】
前記空気通路の他端は、便器の正面に正対して手前側又は／及び後方側に位置することを特徴とする請求項１記載の腰掛け式便器。
【請求項３】
空気通路の他端側に塵芥を除去するためのフィルタを設置したことを特徴とする請求項２記載の腰掛け式便器。
【請求項４】
前記換気扇は、便器本体に対して着脱自在となるケース体内に取着され、取着されたとき前記排気通路と空気通路との間に位置することを特徴とする請求項１〜３いずれか一項に記載の腰掛け式便器。
【発明の詳細な説明】
【技術分野】
【０００１】
本発明は、腰掛け式便器に関する。
【背景技術】
【０００２】
腰掛け式便器にあっては、男性が小便をする場合、便座を持ち上げ、立った状態で用を足す。しかし、例えば不注意で便器の外に小便を漏らしてしまうことがある。その場合、便器の正面に正対して向こう側（以下、便器の向こう側）や手前の床面に、飛散した尿や尿の飛沫が付着して、清潔感を保つことができなくなる。
【０００３】
一方、公衆便所を利用する人の中には、便座に直接着座することを嫌い便座の上に靴のまま乗ったり、又は便座を持ち上げて便器本体のリムの上に乗ったりして、蹲踞の姿勢で用を足す人もいる。その場合、便器の正面に正対して手前側（以下、便器の手前側）の床面に、飛散した尿や尿の飛沫が付着して、清潔感を保つことができなくなる。
【先行技術文献】
【特許文献】
【０００４】
【特許文献１】実用新案登録第３１５０７２５号公報
【特許文献２】特開平９−２２８４５６号公報
【発明の概要】
【発明が解決しようとする課題】
【０００５】
本発明は、上記事情に鑑みてなされたものであり、便器周囲の下部、すなわち、床面に漏れたり付着したりした尿に起因する悪臭を効率よく解消することができる便器を提供することを技術的課題とする。
【課題を解決するための手段】
【０００６】
そこで、本発明は次のようにした。
すなわち、便座を有する便器本体と、前記便器本体近傍に一端を有する排気通路と、便器本体の肉厚内に形成され、一端が前記排気通路と一端同士で連通し、他端が便器の下方向に向けて開口した空気通路と、前記排気通路に又は当該排気通路と空気通路との間に設置される換気扇と、を有するようにした。
【０００７】
前記空気通路の他端は、便器の正面に正対して手前側又は／及び後方側に位置することを特徴とする。
【０００８】
また、空気通路の他端側に塵芥を除去するためのフィルタを設置してもよい。
【０００９】
前記換気扇は、便器本体に対して着脱自在となるケース体内に取着され、取着されたとき前記排気通路と空気通路との間に位置することを特徴する。
【発明の効果】
【００１０】
本発明の腰掛け式便器は、便座を有する便器本体と、前記便器本体近傍に一端を有する排気通路と、便器本体の肉厚内に形成され、一端が前記排気通路と一端同士で連通し、他端が便器の下方向に向けて開口した空気通路と、前記排気通路に又は当該排気通路と空気通路との間に設置される換気扇と、を有する。このため、床面に漏れたり付着したりした尿から発する臭気を空気通路と排気通路とを経由して、ケース体外部に排出できる。よって、尿の悪臭によりトイレ利用者に不快感を生じさせにくくできる。
【図面の簡単な説明】
【００１１】
【図１】本発明便器の全体斜視図である。
【図２】図１の側面図である。
【図３】図１の平面図である。
【発明を実施するための形態】
【００１２】
以下、この発明を実施するための形態（以下、実施形態）を実施例に基づいて例示的に説明する。ただし、この実施例に記載されている構成部品の寸法、材質、形状その相対配置などは、特に特定的に記載がない限りは、この発明の範囲をそれらに限定する趣旨ではない。
【００１３】
本発明を腰掛け式水洗便器（以下、便器）に適用した場合を図１〜３を参照して例示する。
便器１は、例えば、水流をおこすために貯水しておくタンク（水槽）の無い、いわゆるフラッシュバルブ方式でかつサイホン現象により汚物を吸い込んで排出する便器である。便器１は、便が排出される衛生陶器の便器本体３と、便器本体のリム３１の上に配置される開閉自在の便座５と、便座５を覆いかつ便座５と同様に開閉自在の蓋７とを有する（図１，２参照）。
【００１４】
便器本体３は、床面又は壁面に図示しないボルトキャップにより固定される。ボルトキャップとは、ボルト頭にキャップが被されてなる取り付けボルトである。便器本体３には、図示しない、給水管及び横引き排水管が接続されている。
【００１５】
給水管は、水道本管（図示せず）から引き込まれた管であり便器本体３に水を送る管である。給水管の途中には、フラッシュバルブが備えられている。
そして、便器に接続された給水管の水圧をそのまま利用してフラッシュバルブで給水して洗浄する。
【００１６】
横引き排水管は、便器本体３に溜まった便をフラッシュバルブで洗浄後、敷地外に排出するための管である。横引き排水管は、蛇腹状をした管である排水接続アダプタやエルボを用いて、便器本体３の後部と接続される。横引き排水管のうち便器本体３と反対側の端部（他端）は、図示しない汚水管に向けて延びている。
給水管からの水は、汚物とともに最終的には汚水管に向けて流れる。
【００１７】
次に便器本体について述べる。
便器本体３は、先細りの船首の如き形態をしている。ここで、平面で視て便器本体３のうち先細りする部分の側を手前側とし、その反対側を後方側ということにする。そして、その一側面（便器１の正面に正対して左側）には、排気通路としてのパイプ体８が設置されている（図１，２参照）。排気通路は、便器１から離隔した箇所にまで引き出され、外気と通じる用になっている。また便器本体３の内部には、一対の空気通路１１ａ、１１ｂが形成されている。
【００１８】
一方の空気通路１１ａは、その両端が、便器の一方の側面に形成された一対の開口に通ずるようになっている。当該一対の開口を１１１ａ、１１１ｂで示す（図１参照）。
【００１９】
他方の空気通路１１ｂは、その一端が便器１の他方の側面に形成された開口１１１ｃに通ずる。そして、他方の空気通路１１ｂの他端は、前記開口１１１ａに通ずる。
【００２０】
開口１１１ａは、便器１の一方の側面における便器１の後方寄りの箇所でかつ床面の近
傍に設置されている。開口１１１ｂは、同じく便器１の一方の側面における便器１の手前側でかつ床面の近傍に設置されている。開口１１１ｃは、便器１の他方の側面における便器１の手前側でかつ床面の近傍に設置されている。なお、開口１１１ｂ、１１１ｃは、下方に向けて開口している。
【００２１】
パイプ体８は、その一端８１が便器１の開口１１１ａに連通され、他端８３が外気に臨むように配置されている（図１、２参照）。外気に臨むとは、便器から離隔した位置、例えば、便器が設置された部屋の外で空気中に開放されていることをいう。よって、便器１の開口１１１ａに連通されるパイプ体８の一端８１は、便器１の後方側に位置する床面の近傍に設置される。
また、パイプ体８の前記一端８１には、パイプ体８と接続される換気扇９が接続されるようになっている。
【００２２】
換気扇９は便器１の一側面に取り付けられている。また換気扇９の便器への取付けは、換気扇９を包蔵するケース体としてのカセット９１を利用するものであって、便器１の一側面に対して着脱自在に取り付ける（図１，２参照）。当該着脱は、ケース体としてのカセット９１を便器１の一側面にはめ込んで取り付けるはめ込み式でも粘着材を用いた方式でもよい。また換気扇９は、ケース体に取着されたとき前記パイプ体８と空気通路１１ｂとの間に位置する。
【００２３】
カセット９１には、その一側面（カセット９１を便器１に取り付けたときに便器１の後方側に位置する面）に、パイプ体８の一端８１が差し込まれる通し孔９１１が形成されている（図２参照）。そして、この通し孔９１１にパイプ体８の一端８１が通されることで、パイプ体８とカセット９１とが連結される。その結果、換気扇９は開口１１１ａを通じて空気通路１１ａ、１１ｂの空気を吸引可能となっている。また、カセット９１を便器１に取り付けたときに、カセット９１内の換気扇９と便器本体３の一側面に設けられた前記開口１１１ａとが対向するようになっている。
【００２４】
そして、便器本体３の両側に設けられている開口１１１ｂ及び１１１ｃには、塵芥を除去するためのフィルタ１０、１０が設置されている（図１，２参照）。
【００２５】
フィルタ１０、１０は、便器本体内部の空気通路１１ａ，１１ｂを介して、換気扇９とつながっている（図１，３参照）。そして、フィルタ１０、１０は、換気扇９が駆動したときに、便器１の両側、すなわち便器１の手前両側でかつ床面の近傍から埃や小さなゴミが換気扇側に流れないようにするためのものである。これにより、空気だけが換気扇９側に流れる。
【００２６】
空気通路１１ａ，１１ｂは、便器本体内部において、一方の空気通路１１ａが便器本体３の一方の側面の長手方向沿いに形成され、他方の空気通路１１ｂが、便器本体３を横断するように形成されて、それぞれ換気扇９とつながっている（図１，３参照）。
【００２７】
また、パイプ体８の前記一端８１は、既述の如く便器１の後方側に位置する床面の近傍に設置されているので、当該一端８１に取り付けられる換気扇９も便器１の後方側下方の床面近傍に位置する（図１，２参照）。
【００２８】
便器１は、このような構成であるから、便器１の下部特には便器１の手前側の床面と外気とをパイプ体８及び空気通路１１ａ、１１ｂを介して連通する。そして、換気扇９を駆動することで、便器周りの床面に漏れたり付着したりした尿１００の臭いを、便器１の両側面における手前側でかつ床面の近傍に取り付けられたフィルタ１０、１０経由で吸引し（図１の矢印参照）、その後、パイプ体８を介して外気に放出する。よって、尿の悪臭に
よりトイレ利用者に不快感を生じさせない。したがって、少なくともパイプ体８と換気扇９は、床面脱臭換気装置ということができる。
【００２９】
パイプ体８の他端は、便器の手前だけに限らず、便器の後方側に位置させても、または手前と後方の両方に位置させてもよい。
また換気扇９は、パイプ体８の途中やパイプ体８の先端開口ジョイント手段を用いて取着するようにしてもよい。
【００３０】
さらに、この実施例では便器本体３の内部に空気通路１１ａ、１１ｂを形成したものを例示したが、これに限らない。例えば、便器本体３の周側面をスカート状に覆うカバー体を設け、このカバー体と、便器本体３との間に形成される空間内に空気通路の他、換気扇を設置するようにしてもよい。
【００３１】
なお、アンモニア臭を計測する臭気センサと、この臭気センサからの検知信号を入力する制御部とを設けるようにし、換気扇を前記制御部からの指示信号により制御するようにしてよい。臭気センサは、便器１の手前両側でかつ床面の近傍に位置するように便器本体に設置する。そして、臭気センサが検知した臭気濃度の値が、設定値を超えた場合に制御部が換気扇を作動させるように制御することができる。
【００３２】
また、臭気センサで検知する臭気濃度の高低によって換気扇の単位時間あたりのプロペラ回転数を変化させるように制御部が制御してもよい。例えば臭気センサで検知した臭気濃度の値が、第１の設定値を超えた場合に、換気扇のプロペラが低速回転するよう制御部が制御し、臭気濃度の値が第１の設定値よりも高い第２の設定値を超えた場合に換気扇のプロペラが高速回転するように制御部が制御することができる。
【００３３】
さらに、本発明は、水流をおこすために貯水しておくタンク（水槽）のある便器にも適用できるのはもちろんである。また、壁掛式大便器方式、床上大便器方式共に双方に適用できるのはもちろんである。
【符号の説明】
【００３４】
１ 便器
３ 便器本体
５ 便座
７ 蓋
８ パイプ体（排気通路）
９ 換気扇
１０ フィルタ
１１ａ 空気通路
１１ｂ 空気通路
３１ リム
８１ パイプ体の一端
８３ パイプ体の他端
９１ カセット（ケース体）
１００ 尿
１１１ａ 便器の側面に形成された開口
１１１ｂ 便器の側面に形成された開口
１１１ｃ 便器の側面に形成された開口
９１１ パイプ体の一端が差し込まれる通し孔
【図１】
0005806001.tif 000002
【図２】
0005806001.tif 000003
【図３】
0005806001.tif 000004